(57)【特許請求の範囲】
【請求項１】
液晶表示パネルを照明するために複数個の光源の背後に配置されて光源からの光を上記液晶表示パネル側へ反射させる直下型液晶バックライト装置において、プリント基板上に所定の間隔を隔てて直線状に配置された複数個のＬＥＤ光源と、前記プリント基板上に前記複数個の光源を囲んで配置され側面が底部から上方に向かって外側に傾斜して設けられたランプハウスと、該ランプハウスの上部の開口部を閉塞して設けられた光学シートと、該光学シート上に配置された液晶パネルからなり、前記ランプハウスの側面に底部から上方に向かって広がる３角錐状の複数の突起を設けるとともに前記３角錐状の複数の突起は前記所定の間隔を隔てて配置された複数個のＬＥＤ光源のそれぞれに対して２個を一組として前記光源を挟んで対向して配置されたことを特徴とする液晶バックライト装置。
【発明の詳細な説明】
【技術分野】
【０００１】
本発明は、液晶バックライト装置に関し、詳しくは直下型バックライト装置の輝度ムラの改善を図った液晶バックライト装置に関するものである。
【背景技術】
【０００２】
液晶表示装置の液晶は光がないと表示できないので暗い場所で表示するものにはバックライトが使用されている。バックライトの光源としては冷陰極傾向放電管や平面蛍光ランプ、エレクトロルミネッセンス板、ＬＥＤ等が使用されているが、ＬＥＤは小型化に対して有利である。
【０００３】
図３(ａ〜ｃ)は光源としてＬＥＤを用いた液晶バックライト装置の構成を示す斜視図（a）、（ｂ）は（ａ）図のＡ−Ａ断面図、(ｃ)は液晶に表示された文字にＬＥＤからの光が照射されたときの明暗の状態を示す図である。
【０００４】
これらの図において、１はプリント基板、２はプリント基板上に所定の距離を隔てて直線状に配置されたＬＥＤであり、図示しない電源により電力が供給されて発光する。３はプリント基板上に配置され、複数個のＬＥＤ２を囲んで配置された長方形状のランプハウスで、長辺の中央付近にＬＥＤ２が位置するようにランプハウス３が固定されている。
【０００５】
ランプハウス３の４辺の底部からは上方に向かって外側に傾斜した側壁３ａが形成され、側壁３ａの頂部には頂部で構成される面積の大きさに合わせて形成された光学シート４が固定され、その上面に液晶パネル５が固定されている。
【０００６】
上述の構成においてＬＥＤ２から出射した光は光学シート４及び液晶パネル５を通って視認される。視認される光の中にはランプハウス３の側面３ａやプリント基板１で反射して届くものもある。
【０００７】
即ち、ＬＥＤ２から出た光は全てが直接光学シート４と液晶パネル５を透過するのではなく一部はこれらの表面で反射され、ＬＥＤ２側に戻される光もあり、その光は再び液晶パネル５側に反射する。
【先行技術文献】
【特許文献】
【０００８】
【特許文献１】特開２００１−２８１６５６号公報
【特許文献２】特開２００１−３０５５３５号公報
【特許文献３】特開２００８−０３４２７３号公報
【発明の概要】
【発明が解決しようとする課題】
【０００９】
ところで、このような従来の液晶バックライト装置においては液晶に表示された文字の明るさにばらつきが生じるという課題があった。
図３（ｃ）は視点Ｓから見た場合のＬＥＤ２からの光にばらつきが生じている状態を示すもので、黒丸Ｂ１，Ｂ２、Ｂ３で示す部分にＬＥＤ２が位置し、点線で示すＣ１、Ｃ２、Ｃ３部分が明るく、それ以外の例えばＤ１、Ｄ２、Ｄ３の部分が暗くなっている。
【００１０】
本発明は上述の問題点を解決するためになされたもので、直下型バックライト装置の輝度ムラの改善を図ることを目的としている。
【課題を解決するための手段】
【００１１】
このような課題を達成するために、本発明の液晶バックライト装置は、
液晶表示パネルを照明するために複数個の光源の背後に配置されて光源からの光を上記液晶表示パネル側へ反射させる直下型液晶バックライト装置において、プリント基板上に所定の間隔を隔てて直線状に配置された複数個のＬＥＤ光源と、前記プリント基板上に前記複数個の光源を囲んで配置され側面が底部から上方に向かって外側に傾斜して設けられたランプハウスと、該ランプハウスの上部の開口部を閉塞して設けられた光学シートと、該光学シート上に配置された液晶パネルからなり、前記ランプハウスの側面に底部から上方に向かって広がる３角錐状の複数の突起を設けるとともに前記３角錐状の複数の突起は前記所定の間隔を隔てて配置された複数個のＬＥＤ光源のそれぞれに対して２個を一組として前記光源を挟んで対向して配置されたことを特徴とする。
【発明の効果】
【００１４】
本発明によれば、液晶表示パネルを照明するために複数個の光源の背後に配置されて光源からの光を上記液晶表示パネル側へ反射させる直下型液晶バックライト装置において、プリント基板上に所定の間隔を隔てて直線状に配置された複数個のＬＥＤ光源と、前記プリント基板上に前記複数個の光源を囲んで配置され側面が底部から上方に向かって外側に傾斜して設けられたランプハウスと、該ランプハウスの上部の開口部を閉塞して設けられた光学シートと、該光学シート上に配置された液晶パネルからなり、前記ランプハウスの側面に底部から上方に向かって広がる３角錐状の複数の突起を設けるとともに前記３角錐状の複数の突起は前記所定の間隔を隔てて配置された複数個のＬＥＤ光源のそれぞれに対して２個を一組として前記光源を挟んで対向して配置されているので、光源に近い部分に向かう光の一部を振り分けることで、光源から離れた表示部分の輝度を改善して全体のムラをなくし、輝度を均一化可能な液晶バックライト装置を実現することができる。
【図面の簡単な説明】
【００１５】
【図１】本発明のバックライト装置の実施形態の一例を示す要部構成図（ａ）、（ａ）図のＡ−Ａ断面図（ｂ）、液晶に表示された文字にＬＥＤからの光が照射されたときの明暗を示す図(ｃ)である。
【図２】他の実施例を示す要部構成図である。
【図３】従来例を示す要部構成図（ａ）、（ａ）図のＡ−Ａ断面図（ｂ）、液晶に表示された文字にＬＥＤからの光が照射されたときの明暗を示す図(ｃ)である。
【発明を実施するための形態】
【００１６】
図１は本発明のバックライト装置の実施形態の一例を示す要部構成図（ａ）、（ａ）図のＡ−Ａ断面図（ｂ）、液晶に表示された文字にＬＥＤからの光が照射されたときの明暗を示す図(ｃ)である。
【００１７】
これらの図において、１はプリント基板、２はプリント基板上に所定の距離を隔てて直線状に配置されたＬＥＤであり、図示しない電源により電力が供給されて発光する。３はプリント基板上に配置され、複数個のＬＥＤ２を囲んで配置された長方形状のランプハウスで、長辺の中央付近にＬＥＤ２が位置するようにランプハウス３がプリント基板１の表面に固定されている。
【００１８】
ランプハウス３の４辺の底部からは上方に向かって外側に傾斜した側壁３ａが形成され、側壁３ａの頂部には頂部で構成される面積の大きさに合わせて形成された光学シート４が固定され、その上面に液晶パネル５が固定されている。
【００１９】
７はランプハウス３の傾斜した側壁３ａに形成された３角錐状の複数の突起であり、底部から上方に向かって広がる形状とされている。この突起７はランプハウス３の側壁３ａを板金加工により形成しても良く、平坦な側壁に三角形の板を溶接や接着などにより固定しても良い。
【００２０】
図１（ｂ）に示すように３角錐状の複数の突起はＬＥＤ２を挟んでそれぞれ対向して形成されている。そのためＬＥＤ２から斜め方向に出射した光は３角錐状の表面で反射してそれぞれのＬＥＤから遠い部分の液晶パネルの領域に振り分けられる。
【００２１】
その結果、もともと明るいＬＥＤ２に近い部分は若干暗くなるが、従来暗かったＬＥＤから遠い部分は明るくなることで輝度の差が小さくなり明るさのムラが改善される。
図２は他の実施例を示すもので、ランプハウス３の側壁３ａに図１とは異なる形状の突起を形成したものである。
【００２２】
図２において、７ａはランプハウス３の底部から側壁の頂部に向かって側壁の幅（ｈ）相当の三角柱状の突起を形成したもの、７ｂは側壁の幅（ｈ）相当の直径の比較的大きな半球状の大突起を設けたもの、7ｃは比較的大きな7ｂに比較して小さな半球状の小突起を複数個例えば１０数個設けたものである。
【００２３】
なお図２では突起を側壁の一辺のみに形成した状態を示しているが、ＬＥＤ２に対向して両側面に形成されている。上述の構成においてもＬＥＤ２から斜め方向に出射した光は突起の表面で反射してそれぞれのＬＥＤ２から遠い部分の液晶パネル５の領域に振り分けられる。
また、図２では側壁３ａに３種類の突起を示しているがこれらの突起はそれぞれの突起が１種類で複数個設けられていても良く、複数種類が混合した状態で設けられていてもよい。
【００２４】
なお、以上の説明は、本発明の説明および例示を目的として特定の好適な実施例を示したに過ぎない。突起の形状については凸面鏡と同様の構成であれば良くＬＥＤから出射した光が遠い部分に広がる形状であれば良い。
【００２５】
また、反射手段として機能する突起やランプハウスの側壁およびプリント基板の表面に光学反射膜などを塗布しても良い。
従って本発明は、上記実施例に限定されることなく、その本質から逸脱しない範囲で更に多くの変更、変形を含むものである。
【符号の説明】
【００２６】
１    プリント基板
２    ＬＥＤ
３    ランプハウス
３ａ  側壁
４    光学シート
５    液晶パネル
６    ３角錐状突起
７ａ  ３角柱状突起
７ｂ  半球状大突起
７ｃ  半球状小突起
【図１】
0005488327.tif 000002
【図２】
0005488327.tif 000003
【図３】
0005488327.tif 000004